(57)【要約】【課題】長期間使用してもプッシュスイッチ用の接点磨耗を防止すると共に、プッシュノブの先端部を簡易な構成で照明することができる複合スイッチ装置を提供すること。【解決手段】光源Ｋを、一対のプッシュ固定接点３１ａ、３１ｂの間に配置し、プッシュノブ３２を、透光性を有する材質で形成すると共に、下端部に光源Ｋを挿入可能な凹所３６ａを形成し、且つ、この凹所３６ａの周縁部にプッシュ可動接点３３を設け、さらに、このプッシュノブ３２と基板１０との間にスプリング（弾性体）３５ａを介在させた。【選択図】図１
2007207643.tif 000002
【特許請求の範囲】
【請求項１】
一対のロータリー固定接点とこの一対のロータリー固定接点の間に配置された一対のプッシュ固定接点とが設けられた基板と、該基板上に回動可能に配置されると共に、前記ロータリー固定接点に摺接可能なロータリー可動接点を有するロータ体と、該ロータ体を挿脱自在に貫通して前記プッシュ固定接点に接触可能なプッシュ可動接点を有すると共に、前記ロータ体と一体に回動するプッシュノブと、前記基板に接続された光源とを備えた複合スイッチ装置であって、
前記光源は、前記一対のプッシュ固定接点の間に配置され、前記プッシュノブは、透光性を有すると共に、下端部に前記光源を挿入可能な凹所が形成され、且つ、この凹所の周縁部に前記プッシュ可動接点が設けられ、このプッシュノブと前記基板との間に弾性体が介在していることを特徴とする複合スイッチ装置。
【発明の詳細な説明】
【技術分野】
【０００１】
本発明は、プッシュスイッチとロータリースイッチとが一体に設けられると共に、プッシュノブが照明可能な複合スイッチ装置に関するものである。
【背景技術】
【０００２】
従来から、ベース上に回動可能に取り付けられて回動操作によりスイッチ操作されるロータと、このロータの軸中心に形成された挿通孔に進退可能に取り付けられたプッシュノブとを備えると共に、ベース上に光源を設けたスイッチ装置が知られている（例えば、特許文献１参照）。
【０００３】
このスイッチ装置では、プッシュノブの内部に導光路を形成し、この導光路を介してプッシュノブの先端部を照明するようになっている。また、プッシュノブの側面に可動接点が取り付けられ、プッシュノブが押されて後退したときに、ベースに取り付けられた固定接点とこの可動接点とが摺接するようになっている。
【特許文献１】特開２００４−１０３３７６号公報
【発明の開示】
【発明が解決しようとする課題】
【０００４】
ところで、上述のスイッチ装置では、プッシュスイッチ用の可動接点と固定接点とが、プッシュノブの後退によって摺接するようになっているので、長期間の使用により接点同士が磨耗するおそれがあった。
【０００５】
一方、プッシュスイッチ用の可動接点及び固定接点をロータの内側に配置した場合では、光源をプッシュノブの周囲に配置するしかなく、プッシュノブの先端部を照明することが難しかった。
【０００６】
そこで、この発明は、長期間使用してもプッシュスイッチ用の接点磨耗を防止すると共に、プッシュノブの先端部を簡易な構成で照明することができる複合スイッチ装置を提供することを課題としている。
【課題を解決するための手段】
【０００７】
上記課題を解決するために、請求項１に記載の発明は、一対のロータリー固定接点とこの一対のロータリー固定接点の間に配置された一対のプッシュ固定接点とが設けられた基板と、該基板上に回動可能に配置されると共に、前記ロータリー固定接点に摺接可能なロータリー可動接点を有するロータ体と、該ロータ体を挿脱自在に貫通して前記プッシュ固定接点に接触可能なプッシュ可動接点を有すると共に、前記ロータ体と一体に回動するプッシュノブと、前記基板に接続された光源とを備えた複合スイッチ装置であって、前記光源は、前記一対のプッシュ固定接点の間に配置され、前記プッシュノブは、透光性を有すると共に、下端部に前記光源を挿入可能な凹所が形成され、且つ、この凹所の周縁部に前記プッシュ可動接点が設けられ、このプッシュノブと前記基板との間に弾性体が介在していることを特徴としている。
【発明の効果】
【０００８】
請求項１の発明によれば、プッシュノブを基板に向かって押圧すると、このプッシュノブの下端部に設けられたプッシュ可動接点がプッシュ固定接点の上方から近接して接触することができる。
【０００９】
これにより、長期間使用しても接点磨耗を生じにくくして、接触不良の発生を防止することができる。
【００１０】
また、プッシュノブを基板に向かって押圧すると、このプッシュノブの下端部に形成された凹所に光源が入り込むので、プッシュノブと光源とをほぼ同一軸線上に配置しても干渉することがない。
【００１１】
さらに、プッシュノブが透光性を有しているので、光源からの光をプッシュノブの先端部にまで導いて、この先端部を照明することができる。
【００１２】
これにより、プッシュノブの先端部を簡易な構成で照明することが可能となる。
【発明を実施するための最良の形態】
【００１３】
次に、本発明に関わる複合スイッチ装置を実施するための最良の形態を図面に基づいて説明する。
【００１４】
図１に示す複合スイッチ装置１は、基板１０と、この基板１０上に設けられたロータリースイッチ部２０及びプッシュスイッチ部３０と、このロータリースイッチ部２０及びプッシュスイッチ部３０を内蔵するパッケージ部１１と、このパッケージ部１１内に配置された光源Ｋとを備えている。
【００１５】
基板１０は、絶縁体で構成されたいわゆるスイッチベースであり、ほぼ矩形形状を呈している。
【００１６】
パッケージ部１１は、絶縁体で構成されたいわゆるスイッチハウジングであり、中空の筐体形状を呈し、基板１０に対向する下面側が開放している。このパッケージ部１１は基板１０に固定されている。
【００１７】
そして、このパッケージ部１１の上面１１ａには、後述するプッシュノブ３２が突出する突出孔１２が形成されている。
【００１８】
また、このパッケージ部１１の内面１１ｂには、後述するフランジ部２５が嵌合する環状凹部１３が形成されている。なお、この環状凹部１３は、開放したパッケージ部１１の下面側と連続している。
【００１９】
そして、環状凹部１３の上面には、フランジ部２５に当接するクリック片１３ａが設けられている。
【００２０】
このクリック片１３ａはリング状の金属片であり、一部が下方に向かって撓められて弾性力を有している。そして、最も下方に撓んだ部分には、クリック突起１３ｂが膨出形成されている。
【００２１】
光源Ｋは、いわゆるＬＥＤ（発光ダイオード）であり、図２に示すように抵抗Ｔを介して電源Ｄに接続されている。また、この光源Ｋは、後述する一対のプッシュ固定接点３１ａ、３１ｂの間に配置されている。
【００２２】
ロータリースイッチ部２０は、基板１０上に設けられた一対のロータリー固定接点２１ａ、２１ｂと、これらのロータリー固定接点２１ａ、２１ｂの上方に回動可能に配置されたロータ体２２と、ロータ体２２に設けられて一対のロータリー固定接点２１ａ、２１ｂに摺接可能なロータリー可動接点２３とを備えている。
【００２３】
一対のロータリー固定接点２１ａ、２１ｂは、図３（ａ）に示すように、互いに同方向に延在された金属片であり、図示しないハーネスを介して電源Ｄ（図２参照）に電気的に接続されている。
【００２４】
ロータ体２２は絶縁体で構成され、図２に示すように、円筒状の筒軸部２４と、この筒軸部２４の下端部に設けられたフランジ部２５とを有している。
【００２５】
筒軸部２４は、中心に軸方向に延びる貫通孔２４ａが形成されており、ここでは上端部に向うに従い次第に外径が細くなるように形成されている。
【００２６】
また、貫通孔２４ａは、図３（ｂ）に示すように、後述するプッシュノブ３２の回り止めリブ３７ａ、３７ｂがそれぞれ嵌合する一対の溝部２４ｂ、２４ｂを有している。
【００２７】
そして、フランジ部２５が基板１０上に回動可能に載置されることで、ロータ体２２が基板１０上で回動可能となっている。
【００２８】
このフランジ部２５は、基板１０に対向した下面側にロータリー可動接点２３が設けられ、環状凹部１３の上面に対向した上面側に多数のクリック段部２５ａが形成されている。
【００２９】
クリック段部２５ａは、フランジ部２５の全周にわたって一定の間隔を開けて膨出形成されており、クリック片１３ａのクリック突起１３ｂが、クリック段部２５ａを乗り越える際にクリック感が得られるようになっている。
【００３０】
ロータリー可動接点２３は、導電性を有する金属等で構成され、図３（ｂ）に示すように環状のリング部２３ａと、リング部２３ａから放射方向に延在された多数の接触片２３ｂとを有している。
【００３１】
多数の接触片２３ｂは、フランジ部２５の全周にわたって一定の間隔を開けて設けられており、リング部２３ａによって一体に連結されている。
【００３２】
そして、ロータ体２２が回動することで、多数の接触片２３ｂが一対のロータリー固定接点２１ａ、２１ｂに摺接するようになっている。
【００３３】
プッシュスイッチ部３０は、基板１０上に設けられた一対のプッシュ固定接点３１ａ、３１ｂと、これらのプッシュ固定接点３１ａ、３１ｂの上方に上下動可能に配置されたプッシュノブ３２と、プッシュノブ３２に設けられて一対のプッシュ固定接点３１ａ、３１ｂに接触可能なプッシュ可動接点３３とを備えている。
【００３４】
一対のプッシュ固定接点３１ａ、３１ｂは、図３（ａ）に示すように、同一の円周上に互いに対向するように形成された円弧状の金属片である。そして、この一対のプッシュ固定接点３１ａ、３１ｂは、一対のロータリー固定接点２１ａ、２１ｂの間に配置されている。また、図２に示すように、ハーネスＨを介して一方のプッシュ固定接点３１ａが電源Ｄ及び後述する制御部Ｓに接続され、他方のプッシュ固定接点３１ｂが接地されている。
【００３５】
プッシュノブ３２は、透光性を有する絶縁体で構成されており、図２に示すように、円柱状の軸部３４と、この軸部３４の上部に形成されたプッシュ部３５と、軸部３４の下部に形成された接触部３６と、軸部３４の中間部に形成された一対の回り止めリブ３７ａ、３７ｂとを有している。
【００３６】
なお、「透光性を有する絶縁体」とは、例えば透明な樹脂（プラスチック）やガラス等である。
【００３７】
軸部３４は、基板１０に対して起立した状態で保持され、パッケージ部１１の突出孔１２及びロータ体２２の筒軸部２４を挿脱自在に貫通している。また、この軸部３４は、突出孔１２に対して回動可能となっている。
【００３８】
プッシュ部３５は、軸部３４よりも大径に形成され、突出孔１２から突出している。このプッシュ部３５とパッケージ部１１の上面１１ａとの間には、弾性体であるスプリング３５ａが介在されている。
【００３９】
スプリング３５ａは、プッシュ部３５を上方に押し上げる付勢力を有しており、このスプリング３５ａによってプッシュノブ３２が基板１０から離間した状態で保持されている。
【００４０】
接触部３６は、軸部３４よりも大径に形成され、下面がプッシュ固定接点３１ａ、３１ｂ及び光源Ｋに対向している。そして、この接触部３６の下面のほぼ中央には、光源Ｋが挿入可能な凹所３６ａが形成されている。
【００４１】
一対の回り止めリブ３７ａ、３７ｂは、軸部３４の上下方向に沿って延びる板形状を呈しており、軸部３４が貫通孔２４ａを貫通する際に溝部２４ｂに嵌合するようになっている。
【００４２】
プッシュ可動接点３３は、図３（ｃ）に示すように、凹所３６ａの周縁部に沿って環状に設けられた金属片である。
【００４３】
そして、プッシュノブ３２が、スプリング３５ａの付勢力に抗して下方（基板１０側）に向かって押圧されると、光源Ｋはこのプッシュ可動接点３３を貫通して凹所３６ａ内に入り込むこととなる。また、プッシュ可動接点３３は、一対のプッシュ固定接点３１ａ、３１ｂに上方から近接して接触する。これにより、制御部ＳにプッシュＯＮ信号が入力される。
【００４４】
制御部Ｓは、いわゆるマイクロコンピュータであり、ロータリースイッチ部２０からのロータリー信号や、プッシュスイッチ部３０からのＯＮ／ＯＦＦ信号を検出するものである。
【００４５】
次に、この発明の複合スイッチ装置１の作用について説明する。
【００４６】
この複合スイッチ装置１において、ロータリースイッチ部２０を操作するには、まず、プッシュノブ３２のプッシュ部３５をつまんで回動操作する。
【００４７】
このとき、一対の回り止めリブ３７ａ、３７ｂがそれぞれ溝部２４ｂに嵌合しているので、プッシュノブ３２が回動した際に回り止めリブ３４ａ、３７ｂと溝部２４ｂとが干渉し、プッシュノブ３２とロータ体２２とが一体になって回動する。
【００４８】
そして、ロータ体２２が回動すると、ロータリー固定接点２１ａ、２１ｂとロータリー可動接点２３とが摺接し、ロータリー信号が出力される。出力されたロータリー信号は、図示しないハーネスを介して制御部Ｓに入力される。
【００４９】
なお、このとき、プッシュノブ３２はスプリング３５ａによって基板１０から離間した状態で保持されているので、プッシュ可動接点３３とプッシュ固定接点３１ａ、３１ｂとが接触することがない。
【００５０】
また、ここではロータリー可動接点２３が、一定間隔をおいて設けられた多数の接触片２３ｂを有しているので、この多数の接触片２３ｂが間隔をおいて連続的にロータリー固定接点２１ａ、２１ｂのいずれかに接触する。これにより、ロータリー信号はパルス状に出力されるようになっている。
【００５１】
また、このとき、ロータ体２２の回動に伴ってクリック片１３ａのクリック突起１３ｂが順に多数のクリック段部２５ａを乗り越える。これにより、ロータ体２２が回動する際のクリック感が得られるようになっている。
【００５２】
このように、プッシュスイッチ部３０のプッシュノブ３２を回動操作することで、ロータリースイッチ部２０のロータ体２２が回動し、ロータリー信号が出力される。
【００５３】
一方、この複合スイッチ装置１において、プッシュスイッチ部３０を操作するには、プッシュノブ３２のプッシュ部３５を基板１０に向かって押圧する。
【００５４】
このとき、プッシュノブ３２は、スプリング３５ａによって基板１０から離間した状態で保持されており、このスプリング３５ａの付勢力に抗して押圧される。これにより、プッシュノブ３２が押圧された際のプッシュ感が得られるようになっている。
【００５５】
なお、このとき、プッシュノブ３２はロータ体２２に対して摺動するので、ロータ体２２は回動せずに静止している。
【００５６】
また、プッシュノブ３２が押圧されると、このプッシュノブ３２の下端部に設けられたプッシュ可動接点３３がプッシュ固定接点３１ａ、３１ｂの上方から近接することとなる。
【００５７】
このため、プッシュ可動接点３３とプッシュ固定接点３１ａ、３１ｂとは、互いに擦れることなく接触することができる。
【００５８】
これにより、長期間使用しても接点磨耗を生じにくくして、接触不良の発生を防止することができる。そして、プッシュノブ３２が押圧されることで、プッシュ固定接点３１ａ、３１ｂとプッシュ可動接点３３とが接触し、ＯＮ（ＯＦＦ）信号が出力される。出力されたＯＮ（ＯＦＦ）信号は、ハーネスＨを介して制御部Ｓに入力される。
【００５９】
なお、ＯＮ信号とＯＦＦ信号とは、プッシュノブ３２を押圧するたびに交互に出力されるようになっている。
【００６０】
また、プッシュノブ３２を基板に向かって押圧し、プッシュ固定接点３１ａ、３１ｂとプッシュ可動接点３３とが接触すると、このプッシュノブ３２の下端部に形成された凹所３６ａ内に光源Ｋが入り込む。
【００６１】
これにより、プッシュノブ３２と光源Ｋとをほぼ同一軸線上に配置しても互いに干渉することがなくなり、プッシュノブ３２の直下に光源Ｋを配置することが可能となる。
【００６２】
さらに、プッシュノブ３２が透光性を有しているので、このプッシュノブ３２の直下に配置された光源Ｋからの光をプッシュノブ３２の先端部であるプッシュ部３５の上面にまで導いて、このプッシュ部３５の上面（先端部）を照明することができる。
【００６３】
これにより、プッシュノブ３２の先端部を簡易な構成で照明することが可能となる。
【００６４】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００６５】
例えば、上述の実施の形態では、プッシュノブ３２とパッケージ部１１との間にスプリング３５ａが介在され、プッシュノブ３２が基板１０と離間した状態で保持されている。しかしながら、これに限らず、弾性力を有する部材によってプッシュノブ３２を保持することで、離接動可能となればよい。つまり、プッシュノブ３２とパッケージ部１１との間に介在される弾性体としては、スプリング３５ａに限らずゴムや板バネであってもよい。
【００６６】
また、プッシュノブ３２のプッシュ部３５の上面には、透光性を有するインジケータやアイコン等を形成し、このインジケータ等のみが発光するようにしてもよい。
【図面の簡単な説明】
【００６７】
【図１】この発明に係る複合スイッチ装置を示す縦断面図である。
【図２】この発明に係る複合スイッチ装置の回路構造を示す模式図である。
【図３】（ａ）は基板の正面図であり、（ｂ）はロータ体の底面図であり、（ｃ）はプッシュノブの底面図である。
【符号の説明】
【００６８】
１                複合スイッチ装置
１０              基板
２１ａ，２１ｂ    ロータリー固定接点
２２              ロータ体
２３              ロータリー可動接点
３１ａ、３１ｂ    プッシュ固定接点
３２              プッシュノブ
３３              プッシュ可動接点
３５ａ            スプリング（弾性体）
３６ａ            凹所
Ｋ                光源
【図１】
2007207643.tif 000003
【図２】
2007207643.tif 000004
【図３】
2007207643.tif 000005